(57)【要約】【課題】本発明は、必要なパターンを画像に重ね合わせるという動作を行いつつ、可能な限り印字速度の低下が少ないカラー印刷装置を提供することを目的とする。【解決手段】本発明のカラー印刷装置は、入力された画像データを記憶する画像メモリ手段と、画像メモリ手段内にある画像領域を抽出する画像領域抽出手段と、画像領域抽出手段による抽出結果に基づいて、画像メモリ手段に記憶している画像データに対して、特定の画像データを重畳する画像重畳手段と、印刷パターンに応じて画像データを並べ替えるデータ並べ替え手段と、画像形成系に対して印字のためのデータを送出するデータ送出手段とを有する。【選択図】        図１１
2005039453.tif 000002
【特許請求の範囲】
【請求項１】
カラー画像データの出力を行うカラー印刷装置において、
入力された画像データを記憶する画像メモリ手段と、
該画像メモリ手段内にある画像領域を抽出する画像領域抽出手段と、
前記画像領域抽出手段による抽出結果に基づいて、前記画像メモリ手段に記憶している画像データに対して、特定の画像データを重畳する画像重畳手段と、
印刷パターンに応じて前記画像データを並べ替えるデータ並べ替え手段と、
画像形成系に対して印字のためのデータを送出するデータ送出手段と
を有することを特徴とするカラー印刷装置。
【請求項２】
前記特定の画像データは、印刷用色分版のうち１色にのみによる画像データである請求項１記載のカラー印刷装置。
【請求項３】
前記画像領域抽出手段は、印刷用色分版のうち前記特定の画像データを重畳した色以外の色分版の画像データに基づいて領域抽出する請求項１又は２記載のカラー印刷装置。
【請求項４】
前記特定の画像データを重畳する色は、人間の視覚上認知しにくい色である請求項１〜３のいずれかに記載のカラー印字装置。
【請求項５】
前記特定の画像データを重畳する色を、記録媒体色に応じて選択可能とした請求項４記載のカラー印刷装置。
【請求項６】
記録媒体の色を感知する色センサと、該色センサによって得られた記録媒体の色情報に応じて前記特定の画像データを重畳する色を自動選択する色選択手段とを設けた請求項１記載のカラー印刷装置。
【請求項７】
前記画像重畳手段が、前記データ並べ替え手段より前段に配置される請求項１記載のカラー印刷装置。
【発明の詳細な説明】
【０００１】
【発明の属する技術分野】
本発明はカラー印刷装置に関し、詳細にはインクジェット記録装置、カラー複写機などのカラー印刷装置に特定の画像データを重畳する技術に関する。
【０００２】
【従来の技術】
【特許文献１】特開２０００−３１３１５６号公報
【特許文献２】特開２００２−２４０３８７号公報
近年の高解像度化、あるいは画像処理技術、あるいは印字プロセス技術の進展により、高精細なカラー画像の印刷が比較的安価に実施できるようになってきた。特に、インクジェットプロセスを用いるカラー印刷装置は、高精細、高階調のカラー画像を安価に出力する印字プロセスとして実用に供されている。このように高精細、高階調の印字が可能となってくると、やはり高精細な入力機器を組み合わせることにより、紙幣や有価証券等の偽造行為が行われてしまう場合がある。
【０００３】
そのために、このような入力機器や印刷機器においては偽造行為の防止のために、例えば紙幣の特定情報を認識するようにして警告を発する、あるいは動作自体を不可能にする、等の方法で、行為自体を防止する機能を持たせているものがある。
【０００４】
一方、印刷用の出力機器の場合、上記のような動作を停止する方法に加えて、どの機器によって出力されたものであるかを特定できることが犯罪防止の観点からも重要視されており、何らかの形で印刷物に出力機器の情報を記録する方法が採られることが多い。その方法として、例えば上記特許文献１に記載されているように人間に知覚できないような微細なパターンを画像中に埋め込む方法、また上記特許文献２に記載されているように紫外線に反応して発光する無色の特殊インクによって情報を書き込む方法や画像データ自体を周波数領域に写像した後に情報を埋め込み逆変換するものなど、様々な方法が採られる。
【０００５】
その中でも、簡便な方法としては、画像データ中に人間に知覚しにくい状態で情報を埋め込む方法があり、画像データに対して印刷機器を特定できるパターンデータを画像に重ね合わせる形で印刷する。もちろんこのとき画像データに影響が出にくいものとしている。出力画像から機器を特定するためには、出力画像に重ね合わされたパターンデータを抽出することで行う。
【０００６】
インクジェットプロセスを用いて画像を形成する場合、最も多く使われる方法は、インクを吐出するためのヘッドを搭載したキャリッジをガイドに沿って左右に移動させながら、キャリッジの位置に同期して、入力された画像情報に応じたインクを吐出させることにより主走査方向の画像形成を行い、副走査方向の記録媒体の搬送を伴って二次元の画像を形成していくものである。
【０００７】
このような記録プロセスを用いる場合、紙の搬送、あるいはキャリッジの移動自体をできるだけ速くすることで印字効率、例えば分あたりの印刷枚数を向上させることができる。このような目的で、画像データの無い部分では、キャリッジを、印字を行っている場合に比較して高速に移動させたり、副走査方向もデータのない部分での紙搬送を高速に行ったりして印字時間を短縮するようにしている場合が多い。
【０００８】
【発明が解決しようとする課題】
このようなパターンデータを画像データに重ね合わせて出力しようとすると、画像データがどこにあるかを検出した上でパターンを重ね合わせるようにしなければ、上記したように高速化を目指した動作を行うことができなくなるという問題がある。もし元の画像のない部分にパターンを重ねてしまうと、画像データの無い部分が無くなるため、または非常に少なくなってしまうため、常に画像を出力することになり、高速にキャリッジを移動したり、紙搬送したりすることで得られる効果が無くなってしまう。
【０００９】
本発明はこれらの問題点を解決するためのものであり、必要なパターンを画像に重ね合わせるという動作を行いつつ、可能な限り印字速度の低下が少ないカラー印刷装置を提供することを目的とする。
【００１０】
【課題を解決するための手段】
前記問題点を解決するために、本発明のカラー印刷装置は、入力された画像データを記憶する画像メモリ手段と、画像メモリ手段内にある画像領域を抽出する画像領域抽出手段と、画像領域抽出手段による抽出結果に基づいて、画像メモリ手段に記憶している画像データに対して、特定の画像データを重畳する画像重畳手段と、印刷パターンに応じて画像データを並べ替えるデータ並べ替え手段と、画像形成系に対して印字のためのデータを送出するデータ送出手段とを有することに特徴がある。よって、画像領域を抽出した後、画像のある部分に対してのみ必要なパターンを出力するようにしているため、印字効率の低下を最小にすることが可能となる。
【００１１】
また、特定の画像データは、印刷用色分版のうち１色にのみによる画像データであることにより、特定の画像情報を入れることによる原画像への影響を極力小さくすることができる。
【００１２】
更に、画像領域抽出手段は印刷用色分版のうち特定の画像データを重畳した色以外の色分版の画像データに基づいて領域抽出することにより、重畳する色の分版における画像データのどこにどのようにデータを重畳しても、例えば画像全面にデータを重畳したとしても、領域抽出はその他の分版データで行うようにしているので、画像を重畳することによる印字効率の低下が発生しない。
【００１３】
また、特定の画像データを重畳する色は、人間の視覚上認知しにくい色であることが好ましい。例えば記録媒体が紙のように白である場合、黄色のように視覚上認知しにくい色で書くことで、人間に見えにくい状態、つまり原画像への影響を極力小さくした状態で情報を書き込むことが可能となる。
【００１４】
更に、特定の画像データを重畳する色を、記録媒体色に応じて選択可能としたことにより、記録用紙などの色に合わせて、どの色で情報を記録するかを選択できるようにしているため、記録媒体に合わせて適切な情報書込みを行うことができる。
【００１５】
また、記録媒体の色を感知する色センサと、該色センサによって得られた記録媒体の色情報に応じて特定の画像データを重畳する色を自動選択する色選択手段とを設けたことにより、記録用紙などの色に合わせて、色センサの情報に応じて目立たないが検知できる状態で必要な情報を書き込むための色を選択することができるため、より適切な情報の書込みが可能となる。
【００１６】
更に、画像重畳手段がデータ並べ替え手段より前段に配置されることにより、並べ替え前の画像にデータを重畳するため、データ重畳は比較的単純な構成で行うことが可能となる。
【００１７】
【発明の実施の形態】
本発明のカラー印刷装置は、入力された画像データを記憶する画像メモリ手段と、画像メモリ手段内にある画像領域を抽出する画像領域抽出手段と、画像領域抽出手段による抽出結果に基づいて、画像メモリ手段に記憶している画像データに対して、特定の画像データを重畳する画像重畳手段と、印刷パターンに応じて画像データを並べ替えるデータ並べ替え手段と、画像形成系に対して印字のためのデータを送出するデータ送出手段とを有する。
【００１８】
【実施例】
図１は本発明の一実施例に係るカラー印刷装置の概略な構成を示すブロック図である。なお、ここに示した機器としては画像入力手段を備えているが、画像入力手段はスキャナ装置である必要はなく、画像データをホスト装置から入力するようにしたり、その他の手段を用いて入力するものであっても構わない。同図に示す本実施例のカラー印刷装置１０は、スキャナ部１１、操作表示部１２、システム制御部１３、記憶手段１４及びプロッタ部１５を含んで構成され、各構成部は内部バス１６を介してそれぞれ接続されている。そして、スキャナ部１１は画像を読み取りデジタルデータに変換するための画像入力手段であり、光源、レンズ等を用いる縮小光学系など光学機構部、ＣＣＤ、Ａ／Ｄ変換器、画像処理手段等を含んで構成されている。スキャナ部１１によって入力された画像データは記憶手段１４に一旦蓄積された後必要な速度でプロッタ部１５に転送され、カラー画像として印字出力される。操作表示部１２はマンマシンインタフェースを行う部分であり、使用者による命令入力及び使用者に対するメッセージ表示を行う部分である。システム制御部１３は機器全体の制御を行う部分であり、ＣＰＵ、ＲＯＭ、ＲＡＭ、ＤＭＡＣなどを含んで構成されている。
【００１９】
次に、このような構成を有する本実施例のカラー印刷装置により出力された画像データの例を図２〜図４に示す。なお、カラー印刷装置としてインクジェット記録装置を例として説明する。
【００２０】
図２はインクジェットヘッドの１ストロークによる画像、例えばインクジェットヘッドが左から右へ移動したときの画像を出力した場合であり、１つの円が１画素に相当する。ここでは分かりやすくするために、１色のみで説明する。なお、本来のカラーインクジェットプロセスはこれを複数の色成分で行っている。ヘッドの副走査方向のサイズが８ドットであるとすると、左端から右端まで移動する場合に、８ドットずつの出力を行いヘッドの移動位置に従ってそれを繰り返すことで、二次元の画像を形成するようになっている。ここでヘッドは縦に配列されており、画像データのメモリ内での順序は通常のラスタスキャンであるから、複数ラインから縦方向に画像データを取り出す仕組みが必要であり、後述のデータ並べ替え手段でそれを実現している。ところが、近接しているドットが乾かないうちに次のドットを打ってしまい、にじみなどの現象が発生してしまうため、出力画像の品質が低下する。
【００２１】
そのような現象を避けるため、例えば図３に示すように、最初のストロークで主走査方向に１ドットおきに出力し（図中▲１▼で示したドット）、２回目のストロークでその間を埋めるように（図中▲２▼で示したドット）画像を形成するとよい。
【００２２】
更に、図４のように４回のストロークで画像を形成するようにするとさらに画質が向上する。このときヘッドの動きとしては、例えば左方向から記録するように、常に一方向から記録し始めるのが最も機械的位置精度がよくなるためより高画質に出力でき、往復両方で書き込むようにすると位置精度の低下により若干画質の低下が見られる。
【００２３】
このように、画質を上げようとすると、ストローク数や、常に一方向から書くためにキャリッジをホームポジション（ホームポジションは、キャリッジのデフォルトのスタート位置を指す）に戻す動作など、キャリッジの移動距離が長くなってしまうことになり、印字に時間がかかるようになってしまう。
【００２４】
例えば図５に示すように、例えば書込みを行う印字ヘッドの副走査方向の幅（以下スキャン幅と称す）の１０倍、すなわち最低１０ストロークで形成される画像があるとすると、図中バンド１、２、７〜１０には画像が無いため、ヘッドを移動させて時間をかけて書込み動作を行う必要がない。そのような場合は、記録媒体、例えば紙側の送りを通常より速くして送ったり、書込み動作自体を行わないようにして、１枚あたりの出力時間を小さくする制御とする。
【００２５】
図５で示した例は副走査方向の場合であるが、主走査方向も同様に、データの無い部分のキャリッジの動きを速くしたり、あるいは右端にデータが無い場合、画像のある位置が終わるとすぐにキャリッジをホームポジションの戻すようにするなどして、主走査方向の状態に応じても時間短縮のための動作を行わせることができる。
【００２６】
例えば図５の一部分を拡大した図である図６のバンド３を見ると、エリア６１には画像がないためそこまでキャリッジを高速で移動させ、画像のある部分は画像を出力し、エリア６２になると再び画像が無いため、高速にホームポジションにキャリッジを戻したり、あるいは右端にキャリッジを送ったり、様々な方法を採ることができる。
【００２７】
すなわち、キャリッジの動作をどのようにするのかということを決めるのは、一度のストロークで書くエリア（バンド）の画像状態によるのである。つまりハード的に画像の無い部分をデータ転送時に計測しておく。その計測回路は例えば左端の場合であれば、画像にデータがあるとカウントを停止するカウンタなどで構成する。連続する空白部分をソフトにより検出できるようにしておく。もちろんこの作業を十分に速い演算手段によってメモリを読み取ることにより行うようにしてもよい。なおハード的検出手段を設けるのは純粋に処理速度をより速くするためだけの目的である。
【００２８】
更に、画像データをインクジェットヘッドにどのような順序で送り込むのかというのは、上述したように、何ストロークで画像を書こうとしているのか、右から書くのか左から書くのか等の条件によってすべて異なり、インクジェットプロセスでは、画像データを必要に応じて並べ替える手順が要求される。
【００２９】
図７は画像データを並べ替えてインクジェットヘッドに送出するまでのプロセス構成を示すブロック図である。同図に示すように、入力される画像データは一旦画像メモリ手段７１に記憶され、データ並べ替え手段７２は画像メモリ手段７１から必要な順序でデータを読み出して、データの並べ替えを行った後、メモリ手段７３にそのデータを書き込む。すなわち通常このメモリ手段７３に書き込まれるデータは１ストローク分のデータとしておくと好都合である。この時点で画像のある位置を判定し、あるいは全く画像データがないかどうかを判定して、データ送出手段７４はメモリ手段７３から順に画像の存在する範囲のデータを読み出し、出力画像としてインクジェットヘッドに送出する。その際ヘッドの動作は画像のない範囲では高速に移動させる等の動作とすることで高速な印字を可能とする。
【００３０】
このようなインクジェットプロセスを用いる、第１の実施例のカラー印刷装置において、特定パターンを画像データに重ね合わせて出力する場合に、出力効率の落ちない方法を示している。画像に重ね合わせて出力しようとするパターンは、例えば図８に示すようなものである。ここでは５×５画素を単位として、その中の特定のビットを埋めることにより、機器を特定するためのパターンを形成している。例えば図９はこのデータを繰り返し画像データに重ね合わせる例であり、図８に示したパターンを繰り返している。このようなパターンが画像内に書かれることにより、出力画像からこのパターンを検出して、出力機器が特定できる。
【００３１】
このようなパターンを書き込む場合に、ハードウェアとしては、画像全面に同じパターンを繰り返して入れるのが最も効率よくなるのであるが、それではインクジェットプロセスとしては出力速度が減少するということになる。なぜなら本来画像データの無かった部分に画像データを入れるため、その部分を飛ばさずに書いてしまうからである。そのため、上記のパターンデータを画像に入れる前に元の画像データの無い部分を検出した後に、画像のある部分にだけデータを重ね合わせるのが最も効率がよいということになる。よって、図１０に示すように、画像の存在する領域を含む黒枠で示す部分のみにパターンを重畳するようにする。このようにパターンを重ねることによって、インクジェットプロセスとしての描画効率を損なうことなく、必要なパターンの出力を行うことができる。このようなパターンの重ね合わせは、データフローのどの段階で行ってもよいが、最終的に必要なデータパターンが出力されるためには、並べ替え後の場合はそれに応じた重ね合わせを行う必要があり、それより前の場合は通常通りの（ラスタスキャン状態）データに重ね合わせればよい。後者の場合の構成例は、図１１のようになり、入力画像データに対して画像重畳手段１１１によって転送中にパターンデータを重ね合わせる処理が施され、パターンが重畳されたあとのデータが画像メモリ手段１１２に一旦記憶される。なおこの後の処理は図７と同じなので説明は省略する。
【００３２】
次に、第２の実施例のカラー印刷装置では、色成分のうち、ある一色にのみ前記パターンデータを挿入するようにしたものである。この第２の実施例のカラー印刷装置における画像入力からのデータフローを図１２に示す。同図において、スキャナ手段１２１により読み取られたデータはＲＧＢ色空間の信号であり、画像処理手段１２２によりガンマ調整、ＭＴＦ補正等の処理が行われた後、色変換手段１２３に入力される。このとき最終的なインクの色空間に変換する必要がある。ここではＣＭＹＫの４色に変換する例を示している。ただしこの変換は４色インクに限るものではなく、中間色をよりなめらかに出すため、つまり画像の粒状性を抑えるためにもっと多色のインクを用いる場合もあり、機器によって異なる。また、当然ながら、インクの諸特性によっても変換の方法は一意ではなく様々な変換が行われることになる。ここでは、単純にＣＭＹＫの４色としておく。変換後の画像データはメモリ手段１２４に一旦蓄積される。ここから、疑似階調処理手段１２５を介してインクジェットヘッドで記録することのできる階調数に階調を減じる。例えば２値データや４値データなどに変換する。変換は通常ディザ方式、または誤差拡散方式が用いられる。図１２ではここから後はパラレル処理ではなく各色毎の処理を行うようにしている。ただし、必ずしも各色毎に処理する必要はなく、パラレル処理としてもよい。その場合は疑似解消処理手段が４色同時に処理できるものでなければならない。ここより後の画像データの流れは、図７や図１１で説明したものと同様である。インクジェットヘッド１３２は色毎に吐出ノズルを有しているため、各色単位にデータは送出され、一定のタイミングで画像データに対応して吐出が行われる。
【００３３】
このとき、パターンデータの重畳は疑似解消処理手段１２５の後段にて画像重畳手段１２６にて行われる。第２の実施例に係るカラー印刷装置においては選択手段１２７によって画像データの重ね合わせの行われたデータか、行われていないデータ化を選択することになる。このときある一色のみ画像重畳手段１２６を通るように制御する。
【００３４】
次に、第３の実施例に係るカラー印刷装置では、図１０で示したように、画像重畳するエリアを、第２の実施例のように、パターン重畳の行われた面以外の色成分のデータによって判定するようにしている。こうすることにより、例えばＹ面に対しパターンを重畳した場合に、Ｙデータにおいて画像データ領域を判定することなく画像左端から順にパターン重畳し、実際に出力する際には、メモリ手段１３０上のＣＭＫの状態によってヘッドの移動を制御し、Ｙに関しては、ＣＭＫと同じ位置にだけデータを出力するようにする。このようにすることにより、パターンの重ね合わせのタイミング制御が簡単化できる。
【００３５】
また、第４の実施例に係るカラー印刷装置では、パターンを重畳する色成分を例えばＹ色のような淡色とすることにより、人間の目に対して見えにくいデータとするものである。もちろんこの場合、Ｙ色に限るものではなく、例えば４色でない多色インクを用いる場合などは、Ｙ以外の色成分にパターンデータを重畳するようにしてもよい。重要なのは、書き込まれている情報が原画像の妨害をしないと言うことであり、パターンデータを出力する際のドットサイズも小さなものである方が、より目立ちにくくなる。
【００３６】
更に、第５の実施例に係るカラー印刷装置は、記録媒体色に応じてパターンを書き込む色成分を選択可能としたものである。例えば白い紙にパターン印字する場合は黄色等の淡色がよいが、やや濃い色を持つ再生紙などの場合は、書き込んだパターン自体の検出が難しくなることが考えられる。そのような場合濃い色でパターンを記録した方がよい場合がある。このような状況を考慮したものである。
【００３７】
また、第６の実施例に係るカラー印刷装置は、第５の実施例のカラー印刷装置において、どの色瀬異聞にパターンデータを重畳するかを、紙色センサによる紙色状態に応じて自動的に選択するようにしたものである。図１３は当該動作を示すフローチャートである。同図において、先ず紙を送り始めると（ステップＳ１０１）、紙搬送経路に設置されている紙色センサ（図示せず）によって紙色が読み取られ（ステップＳ１０２）、その情報に応じてどの色成分にパターンを書き込むかが選択される（ステップＳ１０３，Ｓ１０４）。その他の動作は前述のものと同じである。
【００３８】
更に、第７の実施例に係るカラー印刷装置は、パターンデータの画像重畳手段がデータ並べ替え手段よりも後段に存在すると、並べ替え後のデータの並びに合わせて、印刷後に所望のパターンとして表示されるように、並べ替えてデータの重ね合わせを行う必要がある。当然、上記のように画像を何ストロークで形成するか、左右どちらから書き始めるか等の条件に応じてその都度変えてやる必要が生じるため、回路構成としては煩雑になる。そのため、並べ替え前のデータにパターンを重畳するように回路を配置した方が、より簡潔な回路とすることができる。
【００３９】
なお、本発明は上記実施例に限定されるものではなく、特許請求の範囲内の記載であれば多種の変形や置換可能であることは言うまでもない。
【００４０】
【発明の効果】
以上説明したように、本発明のカラー印刷装置は、入力された画像データを記憶する画像メモリ手段と、画像メモリ手段内にある画像領域を抽出する画像領域抽出手段と、画像領域抽出手段による抽出結果に基づいて、画像メモリ手段に記憶している画像データに対して、特定の画像データを重畳する画像重畳手段と、印刷パターンに応じて画像データを並べ替えるデータ並べ替え手段と、画像形成系に対して、印字のためのデータを送出するデータ送出手段とを有することに特徴がある。よって、画像領域を抽出した後、画像のある部分に対してのみ必要なパターンを出力するようにしているため、印字効率の低下を最小にすることが可能となる。
【００４１】
また、特定の画像データは、印刷用色分版のうち１色にのみによる画像データであることにより、特定の画像情報を入れることによる原画像への影響を極力小さくすることができる。
【００４２】
更に、画像領域抽出手段は印刷用色分版のうち特定の画像データを重畳した色以外の色分版の画像データに基づいて領域抽出することにより、重畳する色の分版における画像データのどこにどのようにデータを重畳しても、例えば画像全面にデータを重畳したとしても、領域抽出はその他の分版データで行うようにしているので、画像を重畳することによる印字効率の低下が発生しない。
【００４３】
また、特定の画像データを重畳する色は、人間の視覚上認知しにくい色であることが好ましい。例えば記録媒体が紙のように白である場合、黄色のように視覚上認知しにくい色で書くことで、人間に見えにくい状態、つまり原画像への影響を極力小さくした状態で情報を書き込むことが可能となる。
【００４４】
更に、特定の画像データを重畳する色を、記録媒体色に応じて選択可能としたことにより、記録用紙などの色に合わせて、どの色で情報を記録するかを選択できるようにしているため、記録媒体に合わせて適切な情報書込みを行うことができる。
【００４５】
また、記録媒体の色を感知する色センサと、該色センサによって得られた記録媒体の色情報に応じて特定の画像データを重畳する色を自動選択する色選択手段とを設けたことにより、記録用紙などの色に合わせて、色センサの情報に応じて目立たないが検知できる状態で必要な情報を書き込むための色を選択することができるため、より適切な情報の書込みが可能となる。
【００４６】
更に、画像重畳手段がデータ並べ替え手段より前段に配置されることにより、並べ替え前の画像にデータを重畳するため、データ重畳は比較的単純な構成で行うことが可能となる。
【図面の簡単な説明】
【図１】本発明の一実施例に係るカラー印刷装置の概略な構成を示すブロック図である。
【図２】本実施例のカラー印刷装置により出力された画像データの例を示す図である。
【図３】本実施例のカラー印刷装置により出力された画像データの例を示す図である。
【図４】本実施例のカラー印刷装置により出力された画像データの例を示す図である。
【図５】印字ヘッドの副走査方向の幅のストロークで形成される画像の一例を示す図である。
【図６】図５の一部分を拡大した図である。
【図７】画像データを並べ替えてインクジェットヘッドに送出するまでのプロセス構成を示すブロック図である。
【図８】画像に重ね合わせて出力しようとするパターンを示す図である。
【図９】図８のパターンを繰り返して画像データに重ね合わせる例を示す図である。
【図１０】画像の存在する領域を含む黒枠で囲んだ例を示す図である。
【図１１】画像データを重畳してから並べ替えてインクジェットヘッドに送出するまでのプロセス構成を示すブロック図である。
【図１２】本発明の第２の実施例に係るカラー印刷装置における画像入力からインクジェットヘッドに送出するまでのプロセス構成を示すブロック図である。
【図１３】本発明の第６の実施例に係るカラー印刷装置の動作を示すフローチャートである。
【符号の説明】
１０；カラー印刷装置、１１；スキャナ部、１２；操作表示部、
１３；システム制御部、１４；記憶手段、１５；プロッタ部、
１６；内部バス、７１，１１２；画像メモリ手段、
７２，１１３；データ並べ替え手段、７３，１１４；メモリ手段、
７４，１１５；データ送出手段、１１１；画像重畳手段。
【図１】
2005039453.tif 000003
【図２】
2005039453.tif 000004
【図３】
2005039453.tif 000005
【図４】
2005039453.tif 000006
【図５】
2005039453.tif 000007
【図６】
2005039453.tif 000008
【図７】
2005039453.tif 000009
【図８】
2005039453.tif 000010
【図９】
2005039453.tif 000011
【図１０】
2005039453.tif 000012
【図１１】
2005039453.tif 000013
【図１２】
2005039453.tif 000014
【図１３】
2005039453.tif 000015